(57)【要約】調節可能な伸縮支持部品が、２つの筒状要素（２、３）と、台部（８）と台部に取り付けられる収縮可能なカラー部（２０）とを含む調節可能に要素をロックするための装置（５）とを備える。カラー部と台部との間には、カラー部を台部内で収縮するための締付手段が設けられている。支持部品は、カラー部を台部内でカラー部と外部の筒状要素との間で作動するアクチュエータ手段も備える。アクチュエータ手段は、カラー支持部材（１５）とカラー支持部材の間のカム構造（１２）が挿入されて、カラー部と台部に対して作動位置と非作動位置との間でカラー部を外部筒状要素との間で作動するスプリング（１７）を備える。【選択図】  図１
2009522589.tif 000002
【特許請求の範囲】
【請求項１】
一方が他方の中に挿入されるように摺動可能であり、それぞれ内側および外側にある少なくとも２つの筒状要素（２、３）と、
前記要素の間にあり前記要素を調節可能な位置でロックするための装置（５）であって、外側筒状要素（３）の一端の台部（８）と、前記台部に取り付けられる収縮可能なカラー部（２０）とを含み、これは内側筒状要素（２）を包囲し、前記カラー部が前記内側筒状要素に締め付けられ前記台部に配置されて前記筒状要素を軸方向に相互にロックする作動位置と、前記筒状要素が相互に対して伸縮自在に摺動可能である非作動位置との間を前記台部内で軸方向に移動可能である、装置と、
前記カラー部をこれの前記台部内での動きの機能として収縮させるための前記カラー部と前記台部との間の締め付け手段であって、前記カラー部の前記台部内での作動位置への軸方向の移動によって、前記筒状要素を相互に対してロックするために前記カラー部を収縮させるため前記カラー部および／または前記台部上にそれぞれテーパ状の構造（２２）を含む、締め付け手段と、
前記カラー部を前記台部内で軸方向に作動位置と非作動位置との間で動かすため、前記カラー部が取り付けられるカラー支持部材（１５）を介して前記カラー部（２０）と前記外側筒状要素との間で作動するアクチュエータ手段であって、前記カラー部を前記台部内の作動位置へ向かって動かすために前記カラー部と前記外側筒状要素との間で作動するスプリング（１７）を備える、アクチュエータ手段と、
を備える調節可能な伸縮式支持部品において、
前記アクチュエータ手段が、前記カラー支持部材（１５）と前記外側筒状要素との間に、前記カラー部を前記台部に対して軸方向に作動位置と非作動位置との間で動かすことが可能であるカム構造（１２）を備えることを特徴とする、調節可能な伸縮式支持部品。
【請求項２】
前記カム構造（１２）は、前記カラー支持部材および前記外側筒状要素の一方に形成される周辺カムと、前記カラー支持部材および前記外側筒状要素の他方に形成されるカム従属子（１６）とを備え、前記カム構造と前記カム従属子とは相互に連結されている、請求項１に記載の調節可能な伸縮式支持部品。
【請求項３】
前記台部（８）は前記外側筒状要素の対応する端部（３１）を口広げ加工することにより形成されている、請求項１または２に記載の調節可能な伸縮式支持部品。
【請求項４】
前記台部（８）は、前記外側筒状要素上に取り付けられる第１スリーブ（６）上に設けられている、請求項１または２に記載の調整可能な伸縮式支持部品。
【請求項５】
前記カラー支持部材は、前記外側筒状要素の外側を包囲する第２スリーブ（１５）の形である、先の請求項のいずれか一項または複数項に記載の調節可能な伸縮式支持部品。
【請求項６】
前記スプリング（１７）は、前記外側筒状要素と前記第２スリーブ（１５）との間で、前記外側筒状要素上に取り付けられている、請求項５に記載の調節可能な伸縮式支持部品。
【請求項７】
前記カム構造（１２）は、前記外側筒状要素の対応する端部に形成される前部カム（３３）を備える、先の請求項のいずれか一項または複数項に記載の調節可能な伸縮式支持部品。
【請求項８】
前記前部カムは、前記外側筒状要素の対応する軸方向端部に取り付けられる環状要素（３４）上に形成されている、請求項７に記載の調節可能な伸縮式支持部品。
【請求項９】
前記外側筒状要素とこれに取り付けられる前記環状要素との間に回転防止手段（３５、３６）が設けられている、請求項８に記載の調節可能な伸縮式支持部品。
【請求項１０】
前記台部と前記カラー部との間の接触面は、前記カラー部と前記内側筒状要素との間の接触面の摩擦係数より低い摩擦係数を有する、先の請求項のいずれか一項または複数項に記載の調節可能な伸縮式支持部品。
【請求項１１】
前記カム構造は、前記外側筒状要素上で横方向に旋回軸（８０）を中心に旋回される傾斜要素（７５）と関連しており、前記カラー支持部材（７２）は、カラー部を前記スプリングの力に反して動かすために、前記カム構造（８１）と協働する少なくとも１つのカム従属付属部材（７３）を備える、請求項１に記載の調節可能な伸縮式支持部品。
【請求項１２】
前記傾斜要素（７５）は、前記外側筒状要素上に取り付けられるスリーブ（７１）に形成されるそれぞれの旋回台部（７７）で旋回され、前記カム従属付属部材が通り径方向外側へ突出する開口部（７４）が、少なくとも１つの台部に設けられ、前記カム構造は前記要素上に前記旋回軸を中心に傾斜して形成される、請求項１１に記載の調節可能な伸縮式支持部品。
【発明の詳細な説明】
【技術分野】
【０００１】
本発明は、主請求項の前提部分に述べられる特徴を含む種の調節可能な伸縮支持部品、特にビデオおよび写真用機材を支持するための支持部品に関する。ただし、これに限定はされない。
【背景技術】
【０００２】
伸縮可能である脚部を有する一脚または三脚のような写真機材用の支持部品の構造では、脚部（および／または支持部の中心柱）が実質的に抵抗なく、長さ方向に伸縮自在に調節可能であるべきであるが、手動で解除可能である自動ロックも反対方向、すなわち収縮方向に行われなくてはならない。実際には、使用者は三脚を最低限の力で、片手でさえも設定可能であり、脚部は支持する荷重において自動的にロックが可能であることが望ましい。
【０００３】
この種の支持部品は、たとえば同一の出願人によるＵＳ５，５７５，４４８から公知である。
【０００４】
この文献において説明される支持部品には、筒状要素の１つに固定されているビーカ状の構成を備えるロック装置が設けられており、これは荷重方向ではロックされて反対方向ではロックが解除されるために他方の筒状要素に締付可能である収縮可能カラー部から突出している２つの脚が係合されているテーパ状の台部を有する。
【０００５】
この装置は、荷重方向で伸縮要素を自動的にロックするという所望の結果を達成するが、いくつかの短所も有する。第１の短所は、装置が明らかに大きなスペースを要することによって生じる。特に写真用の三脚ではこの分野において典型的である小型さという要件と相反してしまう。第２の短所は、取り付けられている伸縮ロッドを収縮することが望まれる場合に、装置の手動ロック解除システムが複雑であることにより生じる。
【特許文献１】ＵＳ特許第５，５７５，４４８号明細書
【発明の開示】
【０００６】
（発明の概要）
本発明の根本的な技術的問題は、構造的および機能的に上述の短所のすべてを既述の先行技術との関連において克服するよう設計される調節可能な伸縮支持部品を提供することである。この問題に関しては、本発明の重要な目的は、ロック装置が各種材料から製造される筒状要素への取り付けに適している支持部品を提供することである。
【０００７】
本発明の別の目的は、片手で容易に操作可能である支持部品を提供することである。
【０００８】
この問題の解決およびこれらの目的の達成は、添付の請求項に係り製造される、本発明に係る調節可能な伸縮支持部品によって実現される。
【０００９】
本発明の特徴および長所は、いくつかの好適な実施形態の詳細な説明からさらに明らかにされる。この実施形態は添付の図面を参照して非限定的に示される。
【発明を実施するための最良の形態】
【００１０】
図１および２では、１が全体として支持部品の一部、たとえば光学、写真またはビデオ機材の三脚または一脚の脚部の一部分を示す。支持部品１は、しかしながらその他の目的に使用されることも可能である。
【００１１】
支持部品は、それぞれ内側および外側にある第１および第２筒状要素２、３を備え、これは伸縮自在に一方が他方の中に挿入されるようにスライド可能である。
【００１２】
筒状要素の一方は他方の中に案内され、これらの間に取り付けられているロック装置５により任意の相対位置でロック可能である。ロック装置５は第１スリーブ６を備え、これはこの一部分７により外側筒状要素３の一端で取り付けおよびロックされており、内側にはカバー９が取り付けられ適切な凹部に保持されている円錐状の台部８を有する。筒状要素３の対応する端部が当接する肩部１０が、台部８と部分７との間に形成されている。これにより台部８は筒状要素３上に取り付けられており、スリーブ６と共に筒状要素３と同じまたは異なる材料で製造されることが可能である。
【００１３】
スリーブ６は、この外面に環状拡大部分１１を有し、ここには周方向に延伸する部分１４で終端する斜面１３をそれぞれ有する一連のカム構造１２が形成されている。
【００１４】
第２スリーブ１５が、第１スリーブ６に摺動可能に固定されている。第２スリーブ１５は、各カム構造１２に対して、径方向内側に延伸するとともに、図１の矢印Ｆの方向で拡張部１１により形成されている肩部１８と第２スリーブ１５上に固定されている環状差し込み部１９との間で作用するスプリング１７により作動されるカム従属付属部品１６を有する。第２スリーブ１５は、差し込み部１９から離間する側に、刻み目２１が設けられていることにより弾性的に収縮可能であって内側筒状要素２を完全に包囲するようにこれに固定されているカラー部２０も有する。カラー部２０は、差し込み継ぎ手２１ａにより第２スリーブ１５に当接して固定されている。この差し込み継ぎ手は、外側に円錐状の外殻面２２を有し、これは第１スリーブの台部８にカバー９を介して係合する。カバー９は好適には、カラー部２０の表面に対して、カラー部２０の内面と筒状要素２の外面との間の摩擦係数より低い摩擦係数を有し、これによりカラー部は台部８に対して、筒状要素２に対してより容易に動かされることが可能である。カバー９は、摩擦係数の低いシート形状のプラスチック材料から構成される円錐状のリングの形で台部８に固定されている。
【００１５】
第２スリーブ１５は、筒状要素２、３が相互に対してスライド自在である非作動位置でカラー部が台部８に対してロックされている周部分１４と、筒状要素２、３を相互に対してロックするためにカラー部がスプリング１７により台部８内の作動位置へ動かされる傾斜部１３との間でカム従属付属部品１６を動かすために、第１スリーブ６に対して手動で回転することが可能である。スプリング１７、カム構造１２およびカム従属子１６はしたがって、カラー部２０をスリーブによって上述の作動位置と非作動位置との間で移動させるためのスリーブと外側筒状要素との間におけるアクチュエータ手段を構成する。この位置では、第１筒状要素２を第２筒状要素３にさらに深く挿入させる方向へ作用する荷重は、カラー部２０をさらに台部８内へ動かし、その際カラー部の弾性収縮およびこれにより生じる筒状要素２、３に対するロック力を増加させる。逆に、反対方向へ動かすことにより、カラー部２０は台部８に対して軸方向に、スプリング１７の圧縮方向へ動かされ、これにより筒状要素２、３の間の相対摺動を解放する。
【００１６】
図３を参照すると、本発明の第２の実施形態が全体として３０で示される。上述の実施形態と類似の細部に関しては同じ符号で示される。
【００１７】
この実施形態３０では、収縮可能カラー部３２を収容するための台部３１は、外側筒部３の対応する端部の口広げ加工により形成されている。当然のことながら、台部の材料および筒状要素の材料はこの場合同じである。
【００１８】
カム構造１２はここでは、外側筒部３の対応する端部で、台部３１の開口部に環状要素３４を取り付けることにより前部カム３３を備える。環状要素３４は、対応する凹部３６への歯３５の係合により、筒状要素３上で回転するようにロックされている。第２スリーブ３８からの１つ（または複数）の突起部３７が、カム従属付属部品として設けられている。
【００１９】
全体として４０で示される図４の実施形態では、カム従属付属部品はスリーブ４２内に径方向に配置されており、外側筒部３の溝を形成することにより形成されているカム構造４３に係合するようにスリーブ４２の内部へ突起するペグ４１によって形成されている。スリーブ４２には、スプリング１７が設けられることも（図６）、設けられないことも（図５）可能であり、これによりカムおよびカム従属子が、必要に応じてロック装置を作動させるための唯一の手段であることが可能である。この場合にも、その他の実施形態と同様に、先の図と類似の細部には同じ符号が付けられる。
【００２０】
図７から９を参照すると、別の実施形態が全体として７０で示される。
【００２１】
スリーブ７１が、第１実施形態のスリーブ６と全く同じように外側筒状要素３に取り付けられ固定されている。これと同様にスリーブ７１はカバー９を備える台部８と、また肩部１０も有する。カラー部２０もまた構造上の細部を除いて同じであり、これは径方向外側へ突出するとともにカム従属子として作用する２つ直径方向の付属部品７３を有するカラー支持部材が当接するフランジ７１ａで終端する。付属部品７３は、スリーブ７１内に長手方向に形成されているそれぞれ対向する開口部７４内に収容されている。傾斜要素７５が、スリーブ７１内で開口部７４の基部に形成されている対応する台部７７内の各ピン７６により横軸８０を中心に旋回される。カラー部は台部８内でスプリング７９の力に反して、カム従属付属部材７３が協働するとともに旋回軸８０を中心に傾斜する要素上に形成されているカム構造８１により動かされる。スプリング７９は、台部８内において筒状要素をロックする作動位置へカラー部２０を配置させ、スプリングはねじ差し込み部８３によりスリーブ７１の凹部８２内で保持されている。
【００２２】
軸８０を中心に要素７５を傾斜することにより、筒状要素の相対的な伸長を調節するためカム構造８１がカム従属付属部品７３に作用する際に筒状要素が解除されるか、またはカム構造８１によりスプリング７９がカラー部を台部８内へ配置可能にさせられた場合はこれがロックされる。
【００２３】
したがって、本発明は上述の問題を解決し、従来の支持部品に対して多数の長所を達成している。これには、筒状要素間のロック装置の小型化、および支持部品に作用する荷重に比例するロック効率が含まれる。その他の重要な長所は、伸縮可能である筒状要素が様々な材料、口広げ加工に適している材料および適していない材料いずれの材料からなる支持部品にも本発明を応用することが可能であるということである。
【図面の簡単な説明】
【００２４】
【図１】本発明に係る支持部品の第１実施形態の長手方向における断面図である。
【図２】図１の支持部品の分解斜視図である。
【図３】本発明の支持部品の第２実施形態の断面図である。
【図４】本発明の支持部品の第３実施形態の断面図である。
【図５】図４の矢印Ｖにより示される部分の詳細な拡大断面図である。
【図６】図４の支持部品の変形例の部分断面図である。
【図７】本発明の別の実施形態の分解斜視図である。
【図８】図７の実施形態の軸方向における断面図である。
【図９】図８の線ＩＸ−ＩＸにおける断面図である。
【図１】
2009522589.tif 000003
【図２】
2009522589.tif 000004
【図３】
2009522589.tif 000005
【図４】
2009522589.tif 000006
【図５】
2009522589.tif 000007
【図６】
2009522589.tif 000008
【図７】
2009522589.tif 000009
【図８】
2009522589.tif 000010
【図９】
2009522589.tif 000011
【国際調査報告】
2009522589.tif 000012
2009522589.tif 000013
2009522589.tif 000014